(57)【特許請求の範囲】
【請求項１】
送信部と、
受信部と、
非常通報時に操作する操作部と、
現在位置を検出する検出部と、
前記操作部が操作されたとき、又は、センター装置からの要求信号を前記受信部により受信したときは、前記検出部が検出した現在位置情報を、前記送信部により前記センター装置に送信する現在位置送信制御部を具備し、
前記現在位置送信制御部は、
前記受信部により前記センター装置からの運用停止を指示する信号を受信したときは、前記操作部の操作があっても現在位置情報の送信を行うことを禁止し、
前記現在位置情報の送信が禁止されている間に、前記受信部により前記センター装置からの前記要求信号を受信したときは前記現在位置情報の送信を行うことを特徴とする携帯端末。
【発明の詳細な説明】
【０００１】
【発明の属する技術分野】
本発明は、携帯端末の現在位置を監視センターにて監視する移動体監視システムに関し、特に、その移動体監視システムで使用する携帯端末に関する。
【０００２】
【従来の技術】
現在位置を検出し、現在位置情報をセンター装置に送信する機能を有する携帯端末を使用する移動体監視システムがある。この移動体監視システムにおいては、携帯端末を人が所持し、賊に襲われた、体調が悪くなった等の異常事態に遭遇したとき、所持した人が、非常通報のため携帯端末の非常ボタンを操作する。すると、携帯端末から、その携帯端末の現在位置情報を含んだ非常信号がセンター装置に送信される。監視センターでは、非常信号が送られてくると、現在位置情報が示す現地に対処員を向かわせる等の必要な処置を採る。
【０００３】
【発明が解決しようとする課題】
移動体監視システムにおいては、多数の人が携帯端末を所持して移動体監視のサービスを受けることとなる。この携帯端末は、紛失・盗難等により第三者に渡る場合が想定される。この場合、第三者が紛失した携帯端末を操作し、非常信号を多数送信させると、センター装置での管制オペレーション及び通信トラフィックの増大につながり、移動体監視システムが混乱する可能性がある。
【０００４】
本発明は、携帯端末を紛失等した場合に、携帯端末から非常信号がセンター装置に送信できないようにすることを目的とする。
【０００５】
【課題を解決するための手段】
本発明は、上記課題を解決するためになされたものである。
本発明の携帯端末は、送信部と、受信部と、非常通報時に操作する操作部と、
現在位置を検出する検出部と、前記操作部が操作されたときは、前記検出部が検出した現在位置情報を、前記送信部により前記センター装置に送信し、前記受信部により所定の信号を受信したときは、前記操作部の操作があっても、現在位置情報の送信を行わない現在位置送信制御部とから構成される。
【０００６】
本発明によれば、携帯端末が正当に使用されているときは、従来のものと同様に、所持者が非常事態に遭遇して操作部を操作すると、センター装置に現在位置を含む非常信号が送信される。携帯端末を紛失して届出があった場合等には、センター装置から携帯端末へ、当該携帯端末の操作部の操作を無効にする所定の信号を送信する。
【０００７】
すると、携帯端末においては、以後は、操作部を操作しても、非常信号がセンター装置へ送信されることがなくなる。したがって、携帯端末が悪意の第三者に渡ったとしても、センター装置での管制オペレーション及び通信トラフィックの増大を防止することができる。
本発明は、操作部が操作されたときに非常信号を送信するだけでなく、センター装置から要求信号を受信したときに現在位置情報をセンター装置に送信する機能を有する携帯端末に適用することができる。この場合は、前記受信部により所定の信号を受信したときは、前記操作部の操作があっても非常信号の送信を行わないが、前記要求信号を受信したときは、前記現在位置情報の送信を行う。
【０００８】
本例によれば、携帯端末の紛失等があった場合に、非常信号が多数送信されてくるのを防止できるだけでなく、センター装置から要求信号を送信し、携帯端末から現在位置情報を得ることにより、携帯端末を探索することが可能になる。
【０００９】
【発明の実施の形態】
本発明について、図を用いて説明をする。
図１は、本発明の携帯端末が適用される移動体監視システムの構成を示す。
移動体監視を行う緊急対処センター１に配置されたセンター装置３、位置情報センター８が、インターネット、公衆回線網、専用網等の通信網２に接続される。
【００１０】
携帯端末４は、人が所持し又は自動車に搭載される。携帯端末４は、装備した非常ボタンが操作されたとき、又は、緊急対処センター１から現在位置の送信要求信号を受信したとき、ＧＰＳ用衛星５から受信した位置情報信号を基地局６、通信網２を経由して位置情報センター８に送信する。位置情報センター８では、通信網２を介し衛星基準局７からＧＰＳ用衛星の誤差情報や基地局６の位置情報等を受信して、これらに基づいて携帯端末４の精度の高い位置情報を算出する。算出した精度の高い位置情報である緯度・経度情報、即ち携帯端末４の現在位置情報を携帯端末４に返信する。
【００１１】
現在位置情報を受信した携帯端末４では、非常信号等とともに緊急対処センター１に対して現在位置情報を送信する。
なお、本実施の形態では、現在位置情報を携帯端末４から緊急対処センター１に送信するようにしたが、位置情報センター８から緊急対処センター１に送信するようにしても良い。
【００１２】
さらに、本実施の形態では、携帯端末４が検出した位置情報の精度を高めるため、位置情報センター８を利用している。しかしながら、位置情報の精度を高くする必要がなければ、携帯端末４が検出した現在位置情報を直接、緊急対処センター１に送信するようにしても良い。
これにより、緊急対処センター１では、リアルタイムで、携帯端末４の現在位置を知ることができる。そして、何らかの対処が必要だと判断した場合は、センター装置３から所定の対処用端末９に必要なデータを送信して、対処員に対処を指示する。このとき、対処員には、対処の内容と対象の携帯端末４の位置を示す地図情報が送信される。
【００１３】
図２は、携帯端末４の構成を示す。
携帯端末４は、ＣＰＵ等から構成されるロジック部１１を有する。なお、ロジック部１１には、電源部が含まれ、電池パック１２が接続される。ロジック部１１には、更に、ＲＦ部１３、電源スイッチ１４、非常ボタン１５、ブザー１６、バイブレータ１７、通信ＬＥＤ１８、非常ＬＥＤ１９が接続される。
【００１４】
ＲＦ部１３は、アンテナ２１が接続され、ＧＰＳ用衛星５からの信号、基地局情報信号、センター装置３からの要求信号等を受信してロジック部１１へ送り、ロジック部１１から送られた現在位置情報等を、基地局６を通してセンター装置３、位置情報センター８に送信する。
非常ボタン１５は、携帯端末４を所持する人が、賊に襲われたとき、或いは体調が悪くなった等の非常事態に遭遇したときに操作するもので、これが操作されると、ロジック部１１は、ステータスが変化したこと、即ち、非常信号及び位置情報をセンター装置３に通知する。
【００１５】
電源スイッチ１４は、携帯端末４を稼動状態と非稼動状態に切り替えるために設けられる。
ブザー１６、バイブレータ１７、通信ＬＥＤ１８、非常ＬＥＤ１９は、それぞれ携帯端末４の状態に応じた表示を行うが、ここでの説明は省略する。
図３を用いて、ロジック部１１の動作について説明する。
【００１６】
図示の処理は、電源スイッチ１４の操作により携帯端末４が稼動状態になると開始される。最初に、図全体の処理の流れについて概略を説明する。
ステップＳ１で、非常ボタンが操作されたか否かが判定される。ここで、非常ボタン１５が操作されていれば、ステップＳ２で、携帯端末４が運用停止中であるか否かが判定される。ここで、運用停止中でなければ、ステップＳ３で、センター装置３に対して非常信号を送信する処理がされる。
【００１７】
ステップＳ３の非常信号の送信処理が終了するか、ステップＳ１で非常ボタンが操作されていないと判定されるか、又は、ステップＳ２で運用停止中であると判定されると、ステップＳ４で、センター装置３から信号を受信しているか否かが判定される。ここで、信号を受信していれば、ステップＳ５で、受信した信号に応じた処理を行い、ステップＳ１へ戻る。ステップＳ４でセンター装置３からの信号を受信をしていなければ、ステップＳ１へ戻る。
【００１８】
次に、図３の処理について、ケースごとに説明する。
なお、ステップＳ４で、携帯端末４がセンター装置３から受信する信号としては、主なものとして、携帯端末４から非常信号を受信したことを確認する信号、携帯端末４の非常状態を復旧する信号、携帯端末４の運用の停止を指示する所定の信号、携帯端末４から現在位置情報を送信することを要求する要求信号がある。
【００１９】
（１）非常ボタン１５の操作がなく、センター装置３からの信号受信もなければ、ステップＳ１（ＮＯ）とステップＳ４（ＮＯ）を通過するだけで、携帯端末４は格別な処理は行わない。
（２）（ａ）非常ボタンが操作されると、ステップＳ１からステップＳ２へ進み、運用停止中であるか否かが判定される（運用停止については後述する。）。通常時は、携帯端末は運用停止状態になっていないので、ステップＳ３へ進み、非常信号をセンター装置３に送信する。
【００２０】
非常信号は、携帯端末４を識別する情報、非常事態が生じた旨の表示、現在位置情報の緯度・経度等を含む。また、携帯端末４は、ブザー１６を所定時間鳴動させ、非常ＬＥＤ１９を点滅させる。
上記現在位置情報としては、ＧＰＳ用衛星５から受信した信号に基づいて緯度・経度を取得し、この緯度・経度を位置情報信号として送信する。この位置情報に基づき位置情報センター８にて算出した現在位置情報信号を、既に図１について説明したように処理して、携帯端末４がセンター装置３に通知する。携帯端末４は、センター装置３から信号を受信するまでは、ステップＳ４のＮＯから出て、上記のステップＳ１から４までの処理を繰り返す。
【００２１】
（ｂ）センター装置３が携帯端末４から非常信号を受信すると、緊急対処センター１では、対処員に対して現地に急行する等の指示を出す。また、該当の携帯端末４に対して、非常信号を受信したことを通知する信号を送信する。
携帯端末４は、この信号を受信する（ステップＳ４のＹＥＳ）と、それに応じた処理（ステップＳ５）として、非常ＬＥＤ１９を点滅から点灯に変えバイブレータ１７を所定時間振動させる。これにより、携帯端末４の所持者は非常信号が緊急対処センター１に届いたことを確認できる。
【００２２】
（ｃ）センター装置３は、ステップＳ３の非常信号を受信すると、その後、対処員から対処終了の通知を受けるまで、所定時間ごとに、要求信号を当該携帯端末４に送信する。携帯端末４は、この要求信号を受信する（ステップＳ４のＹＥＳ）と、それに応じた処理（ステップＳ５）として、現在位置情報をセンター装置３に送信する。これにより、携帯端末４が移動をしても、緊急対処センター１は、これを追跡して対処をすることができる。
【００２３】
（ｄ）その後、対処員が現場に急行して対処を行い、非常事態が解除されたことを報告すると、センター装置３から、該当の携帯端末４に対して、非常状態を復旧する信号が送信される。
携帯端末４は、この信号を受信する（ステップＳ４のＹＥＳ）と、それに応じた処理（ステップＳ５）として、非常ＬＥＤ１７を消灯させる。これにより、携帯端末４は正常な状態に戻る。なお通信ＬＥＤ１８は、携帯端末４が通信中のときに点滅する。
【００２４】
（３）（ａ）携帯端末４が紛失・盗難に遭い、緊急対処センター１に通知がされると、センター装置３から、携帯端末４の運用の停止を指示する所定の信号が当該携帯端末４に送信される。携帯端末４は、この信号を受信する（ステップＳ４のＹＥＳ）と、それに応じた処理（ステップＳ５）として、携帯端末４を運用停止状態にセットする。
【００２５】
このように携帯端末４が運用停止状態にセットされると、非常ボタン１５が操作されてステップＳ１からステップＳ２へ進むと、ここで運用停止中と判定されるのでステップＳ４へ進み、ステップＳ３の非常信号送信処理へは進まない。したがって、携帯端末４を拾ったか又は盗んだ人が携帯端末４の非常ボタン１５を操作しても、非常信号がセンター装置３へ送信されることはない。これにより、センター装置３で管制オペレーション及び通信トラフィックが増大することを防止することができる。
【００２６】
（ｂ）センター装置３は、当該携帯端末４の操作を無効化した後に、要求信号を当該携帯端末４に送信する。携帯端末４は、この要求信号を受信する（ステップＳ４のＹＥＳ）と、それに応じた処理（ステップＳ５）として、現在位置情報をセンター装置に送信する。これにより、紛失又は盗難にあった携帯端末４の現在位置が判明する。したがって、携帯端末４の操作を無効化しても携帯端末４の探索が可能になる。
【００２７】
（４）携帯端末４を所持した人が行方不明になったとき、又は、携帯端末４を搭載した自動車が盗難にあったときは、センター装置３から該当の携帯端末４に対して要求信号が送信される。要求信号を受信した携帯端末４は、ステップＳ４で要求信号を受信したと判定すると、ステップＳ５で現在位置情報をセンター装置３に送信する。これにより、行方不明の人、盗難車等の探索が可能になる。
【００２８】
【発明の効果】
本発明によれば、携帯端末が紛失した場合等であっても、携帯端末から非常信号がセンター装置に送信できないようにすることができる。
【図面の簡単な説明】
【図１】本発明の携帯端末が使用される移動体監視システムの全体構成を示す図。
【図２】本発明を適用した携帯端末の構成を示す図。
【図３】図２のロジック部の動作を示すフローチャート。
【符号の説明】
１…急対処センター
２…通信網
３…センター装置
４…携帯端末
５…ＧＰＳ用衛星
６…基地局
７…衛星基地局
８…位置情報センター
９…対処用端末
１１…ロジック部
１２…電池パック
１３…ＲＦ部
１４…電源スイッチ
１５…非常ボタン
１６…ブザー
１７…バイブレータ
１８…通信ＬＥＤ
１９…非常ＬＥＤ
２１…アンテナ
【図１】
0004270760.tif 000002
【図２】
0004270760.tif 000003
【図３】
0004270760.tif 000004